(57)【要約】  噴霧化される流体（２）を収容する容器（３）が設けられたネブライザ（１）及びネブライザのためのハウジング部品（１８）を提案する。容器は、流体を運搬及び噴霧化するために前後に可動である。固定デバイス（３２）は、輸送ロックの閉じた出荷状態で容器を動けない状態に保持するために輸送ロック（２９）を形成する。制御部品（４０）は、制御部品が固定デバイスに向けて移動される時に少なくとも１つのリブ又はアーム（４２）を用いて輸送ロックを解除する。固定デバイスは、容器を不可分に保持するための内方に延びる保持要素（３３）を有するリング状保持部品（３８）を含む。【選択図】図７
2016525437.tif 000002
【特許請求の範囲】
【請求項１】
流体（２）のためのネブライザ（１）であって、
ハウジングと、
前記流体（２）を収容し、かつ前記流体（２）を運ぶ及び／又はその噴霧化のために前記ネブライザ（１）の作動状態において前記ハウジング内で軸線方向に可動である容器（３）と、
閉じた輸送ロック（２９）によりネブライザ（１）の非作動状態において前記容器（３）を軸線方向に動けない状態に保つための輸送ロック（２９）を形成する固定デバイス（３２）と、
特に前記ハウジングを閉じる及び／又はネブライザ（１）を作動させる時に前記輸送ロック（２９）を解除するための制御部品（４０）とを含み、
前記制御部品（４０）は、少なくとも１つの好ましくは軸線方向に延びるリブ又はアーム（４２）を含み、前記制御部品（４０）は、前記少なくとも１つのリブ又はアーム（４２）を用いて前記輸送ロック（２９）を解除するために前記固定デバイス（３２）に対して又は前記固定デバイス（３２）に向けて軸線方向に可動であり、及び／又は
ネブライザ（１）が、請求項１５から請求項２５のいずれか１項に記載のハウジング部品（１８）を含む、
ことを特徴とするネブライザ（１）。
【請求項２】
前記固定デバイス（３２）又は輸送ロック（２９）は、閉じた輸送ロック（２９）により前記容器（３）を軸線方向に動けない状態に保つための少なくとも１つのロック要素（３４）を含み、
前記リブ又はアーム（４２）は、作動面又は傾斜面（４１）を含み、前記ロック要素（３４）は、前記輸送ロック（２９）を解除するために前記固定デバイス（３２）に対して又は前記固定デバイス（３２）に向けて前記制御部品（４０）を軸線方向に移動する時に前記作動面又は傾斜面（４１）を用いて半径方向に可動又はピボット回転可能である、
ことを特徴とする請求項１に記載のネブライザ。
【請求項３】
前記制御部品（４０）は、前記輸送ロック（２９）を解除するための複数のリブ又はアーム（４２）を含み、好ましくは、前記固定デバイス（３２）又は輸送ロック（２９）は、閉じた輸送ロック（２９）により前記容器（３）を軸線方向に動けない状態に保つための複数のロック要素（３４）を含むことを特徴とする請求項１又は請求項２に記載のネブライザ。
【請求項４】
前記固定デバイス（３２）又は少なくともその保持部品（３８）が、前記リブ又はアーム（４２）の中間に挿入可能であるか又は位置付けられることを特徴とする請求項３に記載のネブライザ。
【請求項５】
前記固定デバイス（３２）は、閉じた輸送ロック（２９）により前記容器（３）を軸線方向に動けない状態に保つためのロック要素（３４）を好ましくは有するベース（３６）を含むことを特徴とする請求項１から請求項４のいずれか１項に記載のネブライザ。
【請求項６】
前記固定デバイス（３２）は、前記ハウジング又はそのハウジング部品（１８）に前記容器（３）を不可分に保持するための複数の保持要素（３３）を有する保持部品（３８）を含むことを特徴とする請求項１から請求項５のいずれか１項に記載のネブライザ。
【請求項７】
前記保持部品（３８）及び前記ベース（３６）は、軸線方向にオフセットされ、及び／又は
前記保持部品（３８）及び前記ベース（３６）は、別々の部品である、
ことを特徴とする請求項５及び請求項６に記載のネブライザ。
【請求項８】
前記保持部品（３８）及び前記ベース（３６）は、好ましくは圧着、スナップ接続、又は溶接によって互いに連結されることを特徴とする請求項７に記載のネブライザ。
【請求項９】
前記保持部品（３８）及び前記ベース（３６）は、連結部分（４３）を用いて連結されることを特徴とする請求項７又は請求項８に記載のネブライザ。
【請求項１０】
保持要素（３３）は、フィンガ状であり、及び／又は前記保持部品（３８）から半径方向内方に延びることを特徴とする請求項６から請求項９のいずれか１項に記載のネブライザ。
【請求項１１】
前記保持部品（３８）は、リング状であり、及び／又は前記容器（３）を取り囲むことを特徴とする請求項６から請求項１０のいずれか１項に記載のネブライザ。
【請求項１２】
前記制御部品（４０）は、輸送ロック（２９）の閉じた非移動状態において、好ましくは前記固定デバイス（３２）によって、スナップ嵌め方式で保持されることを特徴とする請求項１から請求項１１のいずれか１項に記載のネブライザ。
【請求項１３】
前記制御部品（４０）は、輸送ロック（２９）の解除された軸線方向に移動した状態においてスナップ嵌め方式で保持されることを特徴とする請求項１から請求項１２のいずれか１項に記載のネブライザ。
【請求項１４】
少なくとも１つのロック要素（３４）が、輸送ロック（２９）の解除された前記軸線方向に移動した状態においてスナップ嵌め方式で前記制御部品（４０）を保持することを特徴とする請求項１３に記載のネブライザ。
【請求項１５】
流体（２）を投与するためのネブライザ（１）のためのハウジング部品（１８）であって、
前記流体（２）を収容する容器（３）と、
閉じた輸送ロック（２９）により前記容器を軸線方向に動けない状態に保つための輸送ロック（２９）を形成する固定デバイス（３２）と、
前記輸送ロック（２９）を解除するための制御部品（４０）とを含み、
前記容器（３）が、前記固定デバイス（３２）によってハウジング部品（１８）から不可分であり、かつ前記流体（２）を運ぶ及び／又はその噴霧化のために解除された輸送ロック（２９）により、ハウジング部品（１８）内で軸線方向に可動であって、
前記制御部品（４０）は、少なくとも１つの好ましくは軸線方向に延びるリブ又はアーム（４２）を含み、前記制御部品（４０）は、前記少なくとも１つのリブ又はアーム（４２）を用いて前記輸送ロック（２９）を解除するために前記固定デバイス（３２）に対して又は前記固定デバイス（３２）に向けて可動であり、及び／又は
前記固定デバイス（３２）は、ハウジング部品（１８）から不可分に前記容器（３）を保持するための複数の保持要素（３３）を有するリング状保持部品（３８）を含み、かつ前記保持部品（３８）から軸線方向に離間したベース（３６）を更に含み、前記ベース（３６）は、閉じた輸送ロック（２９）により前記容器（３）を軸線方向に動けない状態に保つための少なくとも１つのロック要素（３４）を含む、
ことを特徴とするハウジング部品（１８）。
【請求項１６】
前記固定デバイス（３２）又は輸送ロック（２９）は、閉じた輸送ロック（２９）により前記容器（３）を軸線方向に動けない状態に保つための少なくとも１つのロック要素（３４）を含み、
前記リブ又はアーム（４２）は、作動面又は傾斜面（４１）を含み、前記ロック要素（３４）は、前記輸送ロック（２９）を解除するために前記固定デバイス（３２）に対して又は前記固定デバイス（３２）に向けて前記制御部品（４０）を軸線方向に移動する時に前記作動面又は傾斜面（４１）を用いて半径方向に可動又はピボット回転可能である、
ことを特徴とする請求項１５に記載のハウジング部品。
【請求項１７】
前記制御部品（４０）は、前記輸送ロック（２９）を解除するための複数のリブ又はアーム（４２）を含み、好ましくは、前記固定デバイス（３２）又は輸送ロック（２９）は、閉じた輸送ロック（２９）により前記容器（３）を軸線方向に動けない状態に保つための複数のロック要素（３４）を含むことを特徴とする請求項１５又は請求項１６に記載のハウジング部品。
【請求項１８】
前記固定デバイス（３２）又は前記保持部品（３８）は、前記リブ又はアーム（４２）の中間に挿入可能であるか又は位置付けられることを特徴とする請求項１７に記載のハウジング部品。
【請求項１９】
前記保持部品（３８）及び前記ベース（３６）は、好ましくは圧着、スナップ接続、又は溶接によって互いに連結された別々の部品であることを特徴とする請求項１５から請求項１８のいずれか１項に記載のハウジング部品。
【請求項２０】
前記保持要素（３３）は、フィンガ状であり、及び／又は前記保持部品（３８）から半径方向内方に延びることを特徴とする請求項１５から請求項１９のいずれか１項に記載のハウジング部品。
【請求項２１】
前記保持部品（３８）は、前記容器（３）を取り囲むことを特徴とする請求項１５から請求項２０のいずれか１項に記載のハウジング部品。
【請求項２２】
前記制御部品（４０）は、輸送ロック（２９）の閉じた前記ネブライザ（１）の非作動状態において好ましくは前記固定デバイス（３２）によってスナップ嵌め方式で保持されることを特徴とする請求項１５から請求項２１のいずれか１項に記載のハウジング部品。
【請求項２３】
前記制御部品（４０）は、輸送ロック（２９）の解除された軸線方向に移動した状態においてスナップ嵌め方式で保持されることを特徴とする請求項１５から請求項２２のいずれか１項に記載のネブライザ。
【請求項２４】
少なくとも１つのロック要素（３４）が、輸送ロック（２９）の解除された前記軸線方向に移動した状態においてスナップ嵌め方式で前記制御部品（４０）を保持することを特徴とする請求項２３に記載のネブライザ。
【請求項２５】
前記少なくとも１つのリブ又はアーム（４２）は、前記固定デバイス（３２）又はその保持部品（３８）の固定部分（３７）の間を延びることを特徴とする請求項１５から請求項２４のいずれか１項に記載のネブライザ。
【発明の詳細な説明】
【技術分野】
【０００１】
本発明は、請求項１の前提部によるネブライザ、及び請求項１５の前提部によるハウジング部品に関する。
【背景技術】
【０００２】
ＷＯ  ２００６／１２５５７７  Ａ２は、霧状にされるか又は噴霧化すべき流体のためのリザーバとして、流体の入っている内袋を有した挿入可能な硬質容器と、流体を送り出して噴霧化する駆動バネを有した圧力発生器とを有するネブライザを開示している。容器は、出荷状態ではネブライザ内に予め収納される。予備収納容器は、容器の望ましくない開封を回避するために、出荷状態では輸送ロックによりハウジング内で動けない状態に保持される。ネブライザの下側ハウジング部品は、最初に使用される前においては完全に閉じている。予備収納容器は、運搬管がシール及び隔膜を穿刺して容器の内袋に流体結合することにより開封される。更に、輸送ロックは、容器がネブライザ内で前後に動けるよう開放される。
【０００３】
下側ハウジング部品を回すことにより、駆動バネを張力下に置くことができ、かつ流体を圧力発生器の圧縮室内に吸い込むことができる。それと同時に、容器をネブライザ内のストローク運動の状態で下側ハウジング部品内に移動し、かつ最初に張力下に置かれると、容器はそのベースが下側ハウジング部品内に設けられている穿刺要素によって穿孔され、容器の通気を可能にする。ブロッキング要素の手動操作後、駆動バネを解除して運搬管を圧カ室内に移動する結果、流体を駆動バネによって圧力下に置き、かつ噴射ガスを使用せず、エアロゾルとしてノズルを通ってマウスピース中に送り出し又は噴霧化する。
【０００４】
ＷＯ  ２０１１／０６４１６３  Ａ１及びＷＯ  ２０１２／１６２３０５  Ａ１は、同様なネブライザを開示している。容器は、ネブライザのハウジング内に挿入することができる。ハウジングは、下側ハウジング部品によって閉じられている。容器は、噴霧化すべき流体の運搬中、及び圧力発生と噴霧化中、軸線方向に前後に動いている。出荷状態では容器を動けないように保持するための輸送ロックを形成する固定デバイスにより、容器を分離できないようにハウジング部品に連結することができる。
【先行技術文献】
【特許文献】
【０００５】
【特許文献１】ＷＯ  ２００６／１２５５７７  Ａ２
【特許文献２】ＷＯ  ２０１１／０６４１６３  Ａ１
【特許文献３】ＷＯ  ２０１２／１６２３０５  Ａ１
【特許文献４】ＷＯ  ９６／０６０１１  Ａ１
【特許文献５】ＷＯ  ２００９／１１５２００  Ａ１
【特許文献６】ＥＰ  ２  ６１４  ８４８  Ａ１
【発明の概要】
【発明が解決しようとする課題】
【０００６】
本発明の目的は、簡単な及び／又は安全な操作、及び／又は小型の及び／又は信頼性のある構造を可能にするネブライザ及びネブライザのためのハウジング部品を提供することにある。
【課題を解決するための手段】
【０００７】
上述の目的は、請求項１によるネブライザ、又は請求項１５によるハウジング部品によって達成される。好ましい実施形態は、従属請求項の内容である。
【０００８】
本発明の第１の態様によれば、ネブライザは好ましくは、ハウジングと、噴霧化すべき流体を収容する容器と、非作動状態／出荷状態において閉じた輸送ロックでその容器を軸線方向に動けないように保持するための輸送ロックを形成する固定デバイスと、特にハウジングを閉じる際に自動的に輸送ロックを解除するための制御部品とを含む。制御部品は、好ましくは少なくとも１つのリブ又はアームを含み、それによって、制御部品を固定デバイスに対して又は固定デバイスに向けて移動する時にそれによって輸送ロックを解除することができる。それによって軸寸法を最小にすることが可能な非常に小型の剛性構造が可能になる。制御部品のリブ又はアームの好ましい具備により、簡単な及び／又は確実な操作が可能になる。
【０００９】
好ましくは、リブ又はアームは軸線方向に延びている。特に、複数のリブ又はアームが、制御部品に与えられるか又は制御部品によって形成され、これらリブ又はアームは、好ましくは軸線方向に延びている。
【００１０】
好ましくは、リブ又はアームは、制御部品が固定デバイスに対して特に軸線方向に固定デバイスに向けて又はその中へ移動される時に輸送ロックを解除するために、固定デバイスの関連するロック要素を移動するか又はピボット回転させるための作動面又は傾斜面を含む。それによって関連するロック要素及び／又は輸送ロックの解除に対して、必要な力の低減及び／又はより長い作動経路の使用が可能になる。
【００１１】
好ましくは、制御部品は、輸送ロックが解除された時に又は開放状態に保たれている時に、特にスナップ嵌めにより、その位置に固定される。好ましくは、これは、一方では制御部品、特に制御部品の１つ又は複数のリブ又はアームと、他方では固定デバイス、特に固定デバイスの１つ又はそれよりも多くのロック要素との間のレート留め具又はスナップアクションによって達成される。特に、制御部品又はその少なくとも１つのリブ又はアームは、切欠き、突出部、又は肩部のような適切な外形を好ましくは傾斜面の端部に含み、固定デバイス又はロック要素は係合するための適切な相補的な外形、縁部などを有する。それによって輸送ロックを解除状態に保つために、移動位置での制御部品の非常に簡単な実施及び／又は確実な固定が可能になる。
【００１２】
本発明の別の態様によれば、好ましくは噴霧化すべき流体を収容する容器と、閉じた輸送ロックで軸線方向に動けないように容器を保持するための輸送ロックを形成する固定デバイスと、輸送ロックを解除するための制御部品とを含む、特にネブライザのためのハウジング部品を提供する。好ましくは、制御部品は上述のように構成され、特に、固定デバイスに対して又はそれに向けて制御部品を移動する時に輸送ロックを解除するために、少なくとも１つの好ましくは軸線方向に延びたリブ又はアームを有する。従って、同じ利点を結果として生じる。
【００１３】
好ましくは、固定デバイスは容器をハウジング部品から不可分に保持する。従って、容器は、ハウジング部品と一緒の場合に限り、取り替えることができる。これは特に、ハウジング部品が、関連する容器の操作又は使用回数を、特に関連する容器から投与されるか又は送り出される流体の投与回数を計数するために、カウンタ機構を有する場合に有利である。
【００１４】
本発明の更に別の態様によれば、固定デバイスは好ましくは、容器をネブライザ又はハウジング部品から不可分に保持するための複数の保持要素を有するリング状保持部品を含み、更にハウジング部品から軸線方向に離間したベースを含み、そのベースは、閉じた輸送ロックで容器を軸線方向に動けない状態に保持するために、少なくとも１つのロック要素、好ましくは複数のロック要素を含む。それによって非常に信頼性のある及び／又は剛性構造が可能になる。
【００１５】
好ましくは、保持部品及びベースは、特に圧着、留め金、又は溶接により連結された別々の部品である。それによって特に保持部品及びベースが鋼、最も好ましくはバネ鋼で作られる場合に、製作が容易になるか又は可能になる。
【００１６】
好ましくは、保持部品及びベースは、互いに不可分に連結されている。
【００１７】
好ましくは、固定デバイスは、ハウジング部品の中へ嵌め込まれ及び／又はハウジング部品と不可分に連結される。
【００１８】
使用中、容器から流体を投与するか又は引き出すために、及び／又は流体の加圧又は噴霧化のために、特にネブライザ又はネブライザの圧力発生器において、容器は好ましくは軸線方向に可動である。
【００１９】
本発明の別の態様によれば、ネブライザには、好ましくはこのような固定デバイス及び／又はハウジング部品が設けられる。
【００２０】
本発明のハウジング部品を関連するネブライザに連結するか又は取り付け、及び／又はネブライザのハウジングを（完全に）閉じる時に、制御部品は、固定デバイスに対して又はそれに向けて又は（より遠くに）その中へ（すなわち、ベース部品に向けて）、特に軸線方向に、好ましくは積極的に又は自動的に移動されるので、特に容器が流体結合された及び／又は開封された又は通気された時に又はその後には、輸送ロックは解除されている。従って、非常に容易な及び／又は確実な操作を達成することができる。制御部品を移動するために、特にハウジングを閉じるか又はハウジンング部品を完全に取り付けるのに必要とされる力を相対的に小さくすることができるように、好ましく傾斜させた表面を有する１つ又はそれよりも多くのリブ又はアームを用いて、特に制御部品は、輸送ロック、特に複数のロック要素を解除することができるが、輸送ロック又はそのロック要素は、出荷状態では、つまりネブライザの非作動状態では及び／又は輸送ロックの閉じた状態では、相対的に大きい力で、従って、非常に確実に容器をロックすることができる。
【００２１】
好ましくは、ハウジング部品をネブライザ（の残った部分）へ又はそれと連結する時に、制御部品を自動的に移動するか又はシフトさせる。その時に、ネブライザの残った部分、特にハウジング部品又は他の構成要素の接触面は制御部品に当接し、ネブライザが更に閉じる間に輸送ロックが解除されるように、制御部品をハウジング部品の内部で又は更にその中で移動するか又はシフトさせる。
【００２２】
本発明の上述の態様及び以下に説明する更に別の態様は、互いに独立に及びあらゆる組合せで実現することができる。
【００２３】
本発明の更に別の利点、特徴、特性、及び態様は、特許請求の範囲と図面を参照した好ましい実施形態の以下の説明とで明らかになるであろう。
【図面の簡単な説明】
【００２４】
【図１】非引っ張り状態にある公知のネブライザの概略断面図である。
【図２】引っ張り状態にある公知のネブライザの図１と比べて９０°回転させた概略断面図である。
【図３】部分的に閉じたハウジングを含み、予備収納された閉じた容器３を有する出荷状態におけるネブライザの概略断面図である。
【図４】作動し引っ張り状態にあり、完全に閉じたハウジングを含み、開放された容器を有する図３のネブライザの概略断面図である。
【図５】非引っ張り状態にある図４のネブライザの概略断面図である。
【図６】部分的に切り開かれた部分を含んで示された分離したハウジング部品を含み、ハウジング部品はネブライザの容器を動けないように保持する固定デバイスを有している更に別の実施形態によるネブライザの概略斜視図である。
【図７】図６のネブライザの概略断面図である。
【図８】部分的に実装されたハウジング部品を含み、一部切り開かれた部分を含み、容器は動けないように保持されている図６のネブライザの概略断面図である。
【図９】容器が軸線方向に動けるように固定デバイスを開放した、完全に閉じた状態における図６のネブライザの概略断面図である。
【図１０】使用後又はネブライザからの分離後の関連する容器を有したハウジング部品の概略断面図である。
【図１１】本発明によるネブライザ又はハウジング部品の固定デバイスの斜視図である。
【図１２】固定デバイスの上面図である。
【図１３】図１２の線ＸＩＩＩ−ＸＩＩＩに沿う固定デバイスの概略断面図である。
【図１４】図１３と同じ方向での固定デバイスの側面図である。
【図１５】図１２の線ＸＶ−ＸＶに沿う固定デバイスの概略断面図である。
【図１６】図１５と同じ方向での固定デバイスの側面図である。
【図１７】固定デバイスの分解斜視図である。
【図１８】ハウジング部品を部分的に取り付けて輸送ロックを閉じたネブライザの概略断面図である。
【図１９】図１８の取り囲み区域を部分的に拡大した図である。
【図２０】容器、固定デバイス、及び閉じた輸送ロックを有する制御部品の概略斜視図である。
【図２１】１つのロック部分の制御部品との協働に関して図２０の取り囲み区域を部分的に拡大した図である。
【図２２】制御部品のアームとロック要素との協働に関して図２０の取り囲み区域を部分的に拡大した図である。
【図２３】図２０と類似しているが、制御部品は中間状態にある概略斜視図である。
【図２４】図２３の概略断面図である。
【図２５】図２３の取り囲み区域を部分的に拡大した図である。
【図２６】ハウジング部品を部分的に取り付けて輸送ロックを開放したネブライザの概略断面図である。
【図２７】図２６の取り囲み区域を部分的に拡大した図である。
【図２８】ハウジング部品及び容器をネブライザに再度取り付けた時の概略断面図である。
【発明を実施するための形態】
【００２５】
図面では、同一の又は類似の部品に関して同じ番号を使用して、関連する説明を繰り返さない場合でも、望ましくは、対応するか又は相当する特性及び利点をもたらす。
【００２６】
図１及び２は、流体２、特に有効な医薬組成物、薬剤などを噴霧化するための公知のネブライザ１を示し、非引っ張り状態（図１）及び引っ張り状態（図２）で示されている。ネブライザ１は、特に携帯用吸入器として構成され、好ましくは、機械的にのみ、及び／又は噴射ガスなしで作動する。
【００２７】
流体２、好ましくは液体、特に医薬組成物が噴霧化されると、エアロゾル１４（図１）が形成されて、ユーザは吸息又は吸入可能である。通常その吸入は、少なくとも１日に１回、特に患者が苦しんでいる病訴又は病気に応じて、１日に数回、好ましくは定められた間隔で行われる。
【００２８】
ネブライザ１は、流体２を収容する挿入可能な又は交換可能な容器を備えるか又は含む。容器３は、従って、噴霧化すべき流体２に対するリザーバを形成する。好ましくは、容器３は、流体２又は作用物質の複数回分の投与量を含み、特に例えば、２００回までの投与単位又は投与量を提供し、すなわち、２００回までのスプレー又は適用を可能にするに十分な量を含む。ＷＯ  ９６／０６０１１  Ａ１に開示するような典型的な容器３は、例えば、約２から２０ｍｌの量を保持する。
【００２９】
投与量は変化し、特に流体２又は薬剤に応じて変化することに注意しなければならない。ネブライザ１は、それぞれ適応させることができる。
【００３０】
更に、容器３に収容される投与量数及び／又は容器３に収容される流体２の全容量は、流体２又は個々の薬剤に応じて、及び／又は容器３に応じて、及び／又は必要な薬物治療などに応じて変化する場合がある。
【００３１】
好ましくは、容器３は取り替え又は交換が可能であり、同じネブライザ１に使用可能な容器３の数は、好ましくは、例えば、全数で４個又は５個の容器に制限される。
【００３２】
容器３は、好ましくは実質的に円筒形又はカートリッジ形状であり、ネブライザ１を一度開けると、容器３を好ましくは下方から中へ挿入し、必要に応じて交換することができる。容器３は好ましくは硬質の構造であり、流体２は特に容器３の折り畳み式袋４に保持されている。特に容器３は、初回の使用前及び使用中に開いている通気孔３１を含む。
【００３３】
ネブライザ１は、特に事前設定で及び任意に調節可能な投与量で流体２を運んで噴霧化するために、送り出し機構、好ましくは圧力発生器５を含む。ネブライザ又は圧力発生器５は、好ましくは、容器３を取外し可能に保持するためのホルダ６、ホルダ６と関連する一部のみ示された駆動バネ７、及び／又は好ましくは手動操作又は押し下げのための好ましくはボタン形の又はボタン付きのブロッキング要素８を含み、ブロッキング要素８はホルダ６を受け止めて封鎖することができ、駆動バネ７を伸張させながらホルダ６を封鎖解除するように手動で操作することができる。ネブライザ１又は圧力発生器５は、好ましくは、更に、運搬要素、例えば、運搬管９、逆止弁１０、圧カチャンバ１１、及び／又は流体２をマウスピース１３中に噴霧化するノズル１２を含む。完全に挿入された容器３は、ホルダ６によりネブライザ１内に取り付けられ又は保持され、運搬管９が、容器３内に入り込むようになっている。ホルダ６は、好ましくは容器３を交換することができるように構成される。
【００３４】
引っ張り過程において駆動バネ７を軸線方向に引っ張ると、ホルダ６は、容器３及び運搬管９と共に図面において下方に移動し、流体２は容器３から吸い出され、逆止弁１０を通って圧力発生器５の圧カ室１１内に吸い込まれる。この状態では、ホルダ６はブロッキング要素８により受け止められて、駆動バネ７は圧縮されたままである。その時に、ネブライザ１はいわゆる作動状態又は引っ張り状態にある。
【００３５】
ブロッキング要素８の作動又は押下げ後の噴霧化過程における次の弛緩中、圧カ室１１内の流体２は、今や閉鎖状態にある逆止弁１０を有した運搬管９が駆動バネ７の弛緩又は力により圧力室１１内で戻され、この図では上方に戻されて、今や加圧ラム又はビストンとして働いている時に加圧下に置かれる。この圧力により、流体２はノズル１２中に送り込まれ、次に図１に示すようにエアロゾル１４の状態に噴霧化される。
【００３６】
一般的に、ネブライザ１は、流体に加わるバネ圧力が５〜２００ＭＰａ、好ましくは１０〜１００ＭＰａであり、及び／又は１ストローク当たりの送り出し流体量が１０〜５０μｌ、好ましくは１０〜２０μｌ、最も好ましくは約１５μｌの状態で作動する。流体２は、エアロゾル１４に変換され、又はエアロゾル１４として噴霧化され、このようなエアロゾルの液滴は、最大２０μｍ、好ましくは３〜１０μｍの空気力学的径を有する。好ましくは、発生するジェットスプレーの角度は、２０°〜１６０°、好ましくは８０°〜１００°である。これらの値は、特に好ましい値として本発明の教示に従って構成されるネブライザ１にも当て嵌まる。
【００３７】
ユーザ（図示せず）は、好ましくは、少なくとも１つの任意の空気供給開口部１５を通して供給空気をマウスピース１３内に吸引可能である間、エアロゾル１４を吸入することができる。
【００３８】
好ましくは、ネブライザ１又は駆動バネ７を手動で、特に作動部材の作動により、作動させるか又は引っ張ることができる。
【００３９】
ネブライザ１は、好ましくは、ハウジング又は（上側）ハウジング部品１６と、任意で、この上側ハウジング部品に対して回転可能で及び／又は上側部分１７ａ及び下側部分１７ｂ（図１）を有する付勢部品又は内側部品１７（図２）とを有する。
【００４０】
ネブライザ１は、好ましくは保持要素１９によってこの内側部品１７に取外し可能に取り付けられ、特に装着又は保持されている特に手動作動可能な（下側）ハウジング部品又はキャップ１８を含むことが好ましい。
【００４１】
好ましくは、ハウジング部品１６と１８及び／又は他の部品は、ネブライザ１のハウジングを形成する。容器３を挿入する及び／又は取り替えるために、好ましくは、ハウジングを開けることができ、及び／又はハウジング部分１８をネブライザ１又はそのハウジングから取り外すことができる。一般的に及び好ましくは、ハウジングを閉じる前に及び／又はハウジング部品１８をハウジングに連結させる前に、容器３を挿入することができる。ハウジング部品１８をハウジング／ネブライザ１に（完全に）連結する時に、及び／又はハウジング／ネブライザ１を（完全に）閉じる時に自動的に又は同時に容器３が挿入され、開けられ、及び／又は運搬機構に連結されることが好ましい。
【００４２】
作動部材、好ましくはハウジング部品１８は、作動させること、ここでは上側ハウジング部品１６に対して回転させることができ、内側部品１７を部品１６と共に運ぶ又は内側部品１７を駆動する。その結果、駆動バネ７は、内側部品１７、特にその上側部分１７ａとホルダ６の間に形成されてホルダ６に作用する歯車又は伝動装置（図示せず）によって軸線方向に張力下に置かれる。引っ張り中、容器３は、容器３が図２に示すような端位置を取るまで軸線方向下方に移動される。この作動又は引っ張り状態では、駆動バネ７は張力下にあり、ブロッキング部材８により受け止めるか又は保持することができる。噴霧化過程の間、容器３を駆動バネ７によってその元の位置（図１に示す非引っ張り位置又は状態）に戻す。従って、容器３は、引っ張り過程中及び噴霧化過程中、持ち上げ又はストローク運動を行う。
【００４３】
ハウジング部分１８は、好ましくは、キャップ状の下側ハウジング部品を形成し、容器３の下方自由端周りに又はこの上に嵌まっている。駆動バネ７を引っ張ると、容器３は、その端部分と共に（より遠くへ）ハウジング部品１８内へ動き又はその端面に向けて動き、他方、ハウジング部品１８内に設けられた軸線方向に作用するバネ２０のような通気手段が、容器３のベース２１に接触し、容器３が最初に穿刺要素２２に接触すると、穿刺要素２２により容器３又はこの表面のベースシールを穿孔し、空気の取り込み又は通気を可能にする。
【００４４】
ネブライザ１は、好ましくはカウンタ機構２３を含み、そのカウンタ機構は、好ましくはネブライザ１の引っ張り、又はハウジング上側部品１６又はハウジングに対する内側部品１７の回転を検出することにより、ネブライザ１の特定の作動を計数する。好ましくは、カウンタ機構２３又は関連するロックは、作動又は操作又は放出投与が特定回数に達し又はこれを超えると、ネブライザ１の（更に別の）作動又は使用をブロック（阻止）し、例えば、ハウジング部品１８／内側部品１７の更に別の回転、及び従ってネブライザ１又は駆動バネ７の引っ張りをブロックし、及び／又はブロッキング要素８の作動をブロックする。
【００４５】
図３〜図５を参照して、吸入器又はネブライザ１の好ましい構成及び作動モードについてより詳細に説明するが、図１及び図２のネブライザ１との本質的な相違に関してのみ強調する。従って、図１及び２に関する説明は、好ましくはそのまま又は類似した方法で当て嵌まるが、一方、図１及び２のネブライザ１と以下に説明するネブライザ１との特徴のあらゆる望ましい組合せが可能である。
【００４６】
好ましくは、容器３は予備収納状態である。これは、特にＷＯ  ２００６／１２５５７７  Ａ２に示すように、又は以下に説明するように実施可能である。
【００４７】
図３は、予備収納容器３を有した出荷状態におけるネブライザ１を示しており、容器はまだ閉じている。この状態では、ネブライザ１のハウジングは、完全には閉じておらず、特に、ハウジング部品１８は、内側部品１７に完全には押圧されていない。図４及び５は、ハウジングが完全に閉じて容器３が開封された作動状態におけるネブライザ１を示している。図４では、ネブライザ１又は駆動バネ７が張力下に置かれ、すなわち、容器３はその下方位置にある。図５は、ネブライザ１を非引っ張り状態、例えば、流体２の１回投与分の投与又は噴霧化後の状態に示しており、容器３は、その上方位置にある。
【００４８】
容器３は、投与すべき流体２を排出するための流体出口２４を有する。特に、流体出口２４により、一方では容器３又はその袋４と、他方ではネブライザ１、その圧力発生器５、又は運搬要素との間の流体結合が可能になる。
【００４９】
流体出口２４は、内側クロージャ２５を有し、この内側クロージャは、好ましくは、隔膜、膜、プラスチックシールなどで形成され、及び／又は容器３の内部に設けられる。任意的に、１つの共通要素、特に運搬要素又は運搬管９などにより、及び／又は穿刺によって連続開放が可能であるように、第２の又は外側のクロージャ２６を設けることができる。
【００５０】
好ましくは、第１の又は内側のクロージャ２５は、容器３の出口又はヘッド側端部から容器３又は袋４の中へ延びるクロージャ部分２７によって形成され、又は支持される。第２の又は外側のクロージャ２６は、好ましくは容器３のヘッド側又は軸線方向端部に隣接して配置され、及び／又はフランジ２８に保持され、又は連結され、フランジ２８をクロージャ部分２７又は他の任意の適切な部品によって形成することができる。しかし、他の構成上の手段が採用可能である。
【００５１】
図３の出荷状態では、容器３はネブライザ１内に予め収納され、すなわち、挿入されている。しかし、容器３又はその流体出口２４はまだ開かれていない。特に、第２のクロージャ２６は、既に開かれているが、第１のクロージャ２５はそうではない。これは、特に、出荷状態ではネブライザ１のハウジングが部分的にしか閉じられておらず、すなわち、完全には閉じられていないということによって達成される。
【００５２】
特に、容器３は、好ましくはハウジング部品１８の内部に又はハウジング部品１８に配置された特に輸送ロック２９により、ハウジング部品１８に取り付けられ又は保持され、又はその中に固定される。輸送ロック２９は、特にハウジング部品１８をネブライザ１に取り付ける前に及び／又は出荷状態において、容器３を好ましくは一時的に保持する。特に、輸送ロック２９は、容器３の流体結合中及び／又は容器３の機械的連結中に、この場合にはホルダ６によって容器３を固定状態に保持する。好ましくは、輸送ロック２９は、容器３の開放中、特にその穿刺中、容器３を固定状態に保持する。
【００５３】
ネブライザ１をユーザの元に出荷又は配達することができるか又はまだ梱包したままの出荷状態では、ネブライザ１又はハウジング部品１８は、好ましくは、特に固定部材３０により、例えば、バンデロール（banderole）によって固定されるので、容器３及び／又はハウジング部品１８は、ネブライザ１又は上側ハウジング部品１６から十分に離間した状態に保持され、及び／又は完全には閉じられないか又は完全に挿入されないか又は運搬要素又は管９、ハウジング、又は内側ハウジング部品などに押圧されないようにされ、及び／又は容器３、すなわち、第１のクロージャ２５の（完全な）開放がブロックされる。
【００５４】
一度固定部材３０を取り除くと、ユーザ（図示せず）は、ハウジング部品１８を軸線方向に十分に押すことができ、それによって運搬要素又は運搬管９を挿入して容器３、すなわち、第１のクロージャ２５を開けることができる。図４及び５は、ハウジング部品１８が十分に押され、及び／又は容器３が開いた（ネブライザ１又はその圧力発生器５又は運搬要素又は管９に流体結合された）この作動状態を示している。
【００５５】
図４は、ネブライザ１又は容器３を作動状態に示しており、容器３、すなわち、第１のクロージャ２５が開いており、すなわち、容器３又はその流体２は、ネブライザ１又はその圧力発生器５に流体結合され、ハウジング部品１８は、軸線方向に完全に押し込められている。ホルダ６を容器３のヘッド端部と（完全に）係合関係にして、吸引／引っ張り及び押し込みストロークのために容器３を後及び／又は前に動かせるようにするために、最初にネブライザ１又はその駆動バネ７を引っ張ることが必要な場合がある。この引っ張り過程中、ホルダ６を運搬管９と共にハウジング部品１８に向けて又はこの中へ軸線方向に移動し、ホルダ６を容器３と（完全な）係合関係にすると共に容器３をハウジング部品１８のベース領域で穿刺要素２２に対して移動し又は押圧して、それによって容器ベース２１に設けられている通気孔３１を穿刺し又は開ける。図４は、ネブライザ１をこの引っ張り状態かつ作動状態に示している。ホルダ６は容器３に係合し、運搬管９は、容器３内に完全に挿入されている。
【００５６】
図５は、ネブライザ１を弛緩した非引っ張り状態、すなわち、流体２の１回投与分の噴霧化又は放出後の状態に示している。ホルダ６及び容器３は、上方位置にある。ホルダ６はまだ容器３と係合しており、ネブライザ１の次の使用中、係合状態のままである。更に、容器３はまだ開いていて流体結合されており、すなわち、ネブライザ１は作動状態のままである。
【００５７】
ネブライザ１の出荷状態での容器３、特に第１のクロージャ２５の望ましくない開放をブロックするために、及び／又は、ネブライザ１が完全に閉じる前に容器３と関連するハウジング１８に対する容器３の（軸線方向の）動きをブロックするために、好ましくは輸送ロック２９を設ける。例えば、摩擦係合、強制係合又はインターロック係合により、輸送ロック２９は、容器３が不要に軸線方向に動くのをブロックする。
【００５８】
好ましくは、輸送ロック２９の開放は、ネブライザ１又はそのハウジングを完全に閉じた時に、すなわち、ハウジング部品１８を上側ハウジング部品１６に向けて完全にスナップ嵌めし又は押し嵌めした時に自動的に行われる。この（好ましくは直線的な、軸線方向の、又は入れ子式の）閉鎖運動中、輸送ロック２９が開かれ、容器３は、好ましくは容器３の穿刺又は開封の間又は後に、及び／又は好ましくは運動の最後の部分でのみ、及び／又は最終の完全に閉じる位置に達する僅かに直前に又は最終の完全に閉じる位置にちょうど達した時に、軸線方向に解放される。
【００５９】
好ましくは部品１７と１８が結合する閉鎖運動中、輸送ロック２９は、好ましくは、ネブライザ１のハウジング、内側部品１７又はその下側部分１７ｂなどとの直接的又は間接的相互作用、又はこれらによる作動によって開かれる。好ましくは、容器３及び／又は第１のクロージャ２５は、共通の作動及び／又は構成要素、ここではネブライザ１又はそのハウジング又は下側部品１８の閉鎖運動により、輸送ロック２９と同様に開かれる。
【００６０】
図４及び５は、輸送ロック２９を開放位置で、すなわち、容器３が軸線方向に自由に動くことができる状態に示している。
【００６１】
以下では、ネブライザ１の別の実施形態を図６から１０を参照してより詳細に説明することになるが、上述の又は図１から５に示すネブライザ１との本質的な相違に関してのみ強調するか又は説明することになる。従って、図１から５に関する説明は、好ましくはそのまま又は類似した方法で当て嵌まるが、一方、特徴のあらゆる望ましい組合せが可能である。
【００６２】
図６は、ネブライザ１を関連する容器３を有した、まだ実装されておらず、すなわち、分離された（下側）ハウジング部品１８（説明のために部分的に切り開かれている）を含んで、斜視側面図に示している。容器３は、まだネブライザ１に挿入されていないか又は予備収納されていない。言い換えれば、ネブライザ１はまだ組み立てられていないか又はまだ好ましい出荷状態にない。
【００６３】
図７は、ネブライザ１を、まだネブライザ１（の上側部分）から分離している容器３及びハウジング部品１８と共に概略断面図に示している。
【００６４】
ネブライザ１又はそのハウジング又はハウジング部品１８は、好ましくは、異なる機能を有することのできる固定デバイス３２を含む。固定デバイス３２は、流体２の運搬、圧力発生、及び／又は噴霧化のために完全に閉じたハウジング内で容器３が前後に可動であるように容器３を保持することができ、固定デバイス３２は、容器３がハウジング又はハウジング部品１８から不可分であることを確実にすることができる。従って、各々の容器３と共にハウジング部品１８を完全に取り替えることのみが可能である。これに代えて又はこれに加えて、固定デバイス３２は輸送ロック２９を形成することができる。これに代えて又はこれに加えて、固定デバイス３２は、使用済の容器３及び／又は使用済のハウジング部品１８がもう一度ネブライザ１に（再）連結又は使用されないようにすることができる。特に固定デバイス３２は、任意の使用済容器３及び／又は使用済のハウジング部品１８が、ネブライザ及び／又はネブライザの内側部品１７から一旦取り外された後にネブライザに連結されないようにすることができる。
【００６５】
固定デバイス３２又は輸送ロック２９が閉じられると、運搬要素又は管９を挿入する（そこでは好ましくは運搬要素又は管９及び容器３又はクロージャ部分２７の間にプレス嵌めが形成されている）ことにより開封するために、及び／又は容器（ヘッド）をホルダに（完全に）連結するために、容器３は保持され、又は対向軸受される。言い換えれば、輸送ロック２９又は固定デバイス３２は、好ましくは、ネブライザ１が閉じている間、容器３のための対向軸受を形成する。
【００６６】
固定デバイス３２又は輸送ロック２９が閉じられると、容器３は穿刺要素２２から離間させて保持される。
【００６７】
固定デバイス３２を好ましくは、図６及び７に示すようにハウジング部品１８に又は部品１８内に位置させるか又は配置するか又は取り付ける。
【００６８】
好ましくは、固定デバイス３２は、金属及び／又は打抜き加工部品を含み又はこれから構成され、及び／又は単一の一体形部品から構成される。固定デバイス３２は、好ましくは接着、リベット締め、溶接などにより連結された２つ又はそれよりも多くの部品から構成される場合がある。
【００６９】
好ましくは、固定デバイス３２は、鋼、特にバネ鋼で作られる。好ましくは、固定デバイス３２は、切断、打抜き加工のような及び／又は曲げ加工によって板状材料から作られる。好ましくは、固定デバイス３２又はその一部はケージを形成し、特に容器３又はその端部分、特に容器ベース２１を囲い込む。
【００７０】
好ましくは、固定デバイス３２は、保持要素３３及び／又はロック要素３４を含む。要素３３及び３４は、好ましくは、アーム、フィンガ、リーフなどのように設計されている。特に、要素３３及び３４は、容器３の周囲にわたって交互に分散配置される。好ましくは、固定デバイス３２は、複数の保持要素３３及び複数のロック要素３４を含み、特に３つ又はそれよりも多くの保持要素３３と３つ又はそれよりも多くのロック要素３４とを含む。好ましくは、要素３３及び３４は、少なくとも本質的に軸線方向に及び／又は容器３の前後運動方向に及び／又はネブライザ１の長手の又は主延長の方向又はエアロゾル１４の主投与方向へ延びている。
【００７１】
好ましくは、図８に示すように要素３３及び３４は、固定デバイス３２のベース３６により保持され、又はこれに連結される。図８は、既に部分的に実装されたハウジング部品１８を含み、いくつかの断面部分を含んで、ネブライザ１を概略側面図に示している。輸送ロック２９又は固定デバイス３２はまだ閉じているか又はロックされている、すなわち、容器３はまだ確実に保持されているので、軸線方向に動くことができない（軸線方向は、前後又はストローク運動の方向を意味する）。
【００７２】
好ましくは、固定デバイス３２又はベース３６は、作動かつ引っ張り状態、すなわち、容器３がその下方端位置に達した時に容器３を穿刺し、すなわち、容器のベース２１又はその通気孔３１又は容器３の各々のシールなどを開けるために、穿刺要素２２を有するか又は保持する。図示の好ましい実施形態において、穿刺要素２２は、固定デバイス３２又はそのベース３６のバネ部分２０をそれぞれに曲げることによって形成される。バネ部分２０は、ホルダ６への容器３の（完全な又は最終的な）連結を助け又は容易にすることができる。
【００７３】
固定デバイス３２又はベース３６は、好ましくは、固定デバイス３２をネブライザ１又はハウジング又はハウジング部品１８に又はその中に固定するための少なくとも１つ又は複数の固定部分３７を有する。特に、固定部分３７は、固定デバイス３２をハウジング部品１８内に押し込むと、ハウジング部品１８の側壁と協働することにより固定デバイス３２を固定することができる。しかし、固定デバイス３２、そのベース３６、固定部分３７などを複合成形することも可能である。更に、固定デバイス３２をハウジング部品１８などにあらゆる他の適切な方法で連結することができ、特に、別の固定部材により、接着などにより連結することができる
【００７４】
上述のように、固定デバイス３２は好ましくは、ネブライザの出荷状態において、及び／又はハウジング部品１８をネブライザ１に取り付ける前に、容器３をハウジング又はハウジング部品１８の内部で動けないように保持するための輸送ロック２９を形成する。この状況では（特に出荷状態では）、好ましくは容器ベース２１に形成された容器３又は容器３の好ましくは半径方向に突き出た及び／又は周方向に延びる部分又は容器縁部２１ａは、図６〜８に示すように、好ましくは嵌合方式で及び／又は保持要素３３とロック要素３４の間に、特に要素３３及び３４のそれぞれに形成された又は曲げられた端部分３３ａ及び３４ａ相互間に保持される。
【００７５】
図示の実施形態において、容器３及び／又は容器縁部２１ａは、端部分３３ａと３４ａの間に、好ましくは交互に捕捉される。保持要素３３及び／又は端部分３３ａは、容器縁部２１ａを把持し又はこの上に延び、ロック要素３４又はその端部分３４ａは、容器縁部２１ａを把持し又はこの下に延び、その結果、容器縁部２１ａ及び容器３は、その間に、特に嵌合により確実に保持され、それによってこの状態又は出荷状態で、すなわち、輸送ロック２９／固定デバイス３２がロックされた状態で、固定デバイス３２に対する及び関連のハウジング部品１８に対する容器３の軸線方向運動がブロックされる。
【００７６】
好ましくは、端部分３３ａ及び／又は３４ａは、爪のような形をしている及び／又は好ましくは半径方向内方に延びている。
【００７７】
好ましくは、要素３３及び／又は要素３４は、その自由端が半径方向外方に曲がることができる。
【００７８】
好ましくは、固定デバイス３２は、関連する容器３を軸線方向の力又は動きによって固定デバイス３２に連結することができるように設計され、要素３３及び／又は３４は、図６から８に示すようなロック位置で容器３を受け入れるのに必要に応じて好ましくは自動的に外方に曲がる。しかし、必要であれば、適切な治工具（図示せず）などを代わりに又は必要に応じて組立のために更に使用することができる。
【００７９】
例えば、端部分３３ａの端部は、容器３をそれぞれの軸線方向の動きによって固定デバイス３２の中へ挿入するか又はこれに連結することができるように傾斜していることがあり、その結果、保持要素３３は、容器縁部２１ａの通過を可能にするよう外方に曲がる。
【００８０】
好ましくは、保持要素３３又はその端部分３３ａは、固定デバイス３２からの、従って、関連のハウジング部品１８などからの容器３の分離をブロックする。
【００８１】
この実施形態において、保持要素３３は、好ましくは端部分３３ａの上に延び、及び／又は好ましくはアーム状のガイド及び／又はロック部分３５を形成するか又は有する。これらの軸線方向延長部及び／又はこれらの部分３５は、端部分３３ａを超えて軸線方向に延び、及び／又は容器３の固定デバイス３２との軸線方向組立の間、保持要素３３が十分に外方に曲げられるように容器３又はその容器縁部２１ａと協働することができ、その結果、容器縁部２１ａは端部分３３ａを通過することができ、容器ベース２１をロック要素３４の端部分３４ａ上に据えることができる。
【００８２】
ロック要素３４は、その自由端に端部分３４ａを超えて軸線方向に延びる作動部分３４ｂを有する。ロック要素３４は保持要素３３と同様に好ましくは半径方向内方に付勢されるが、作動部分３４ｂは、容器３を半径方向に案内する及び／又は容器３又は容器縁部２１ａのロック要素３４の自由端間への挿入を容易にすることができる。
【００８３】
容器３は、端部分３３ａ及び３４ａ間にその容器縁部２１ａで保持されている時に、輸送ロック２９／固定デバイス３２は閉じており、すなわち、容器３はハウジング部品１８又はネブライザ１の内部で軸線方向に動くことができない。
【００８４】
輸送ロック２９又は固定デバイス３２を開くために、ロック要素３４及び／又はその端部分３４ａは、好ましくは半径方向外方に曲がることができ、その結果、容器３は軸線方向に自由に動くことができ、特に、容器縁部２１ａが固定デバイス３２内で軸線方向にのみ可動であるように、及び／又は軸線方向の動きが保持要素３３又はその端部分３５により制限される（図では上方に）ように、及び／又は容器３が固定デバイス３２から分離不可能であるように制限される。輸送ロック２９又は固定デバイス３２のこの開放は、ネブライザ１を作動させる時に、ネブライザ１を最初に使用する時に、及び／又はネブライザ１を完全に閉じる時に行われる。その後に、容器３は軸線方向に、特に前後に、及び／又はこの実施形態ではその容器縁部２１ａと共に端部分３３ａと穿刺要素２２との間を動くことができる。この状況を図９による概略断面図に概略的に示すが、そこでは閉じたハウジング又はハウジング部分１８と、開いた輸送ロック２９／固定デバイス３２とを有するネブライザ１が示されている。
【００８５】
図９では、容器３は図４と類似した下方位置で示されており、特に容器ベース２１は穿刺要素３２と接触状態にある。しかし、ネブライザ１は引っ張り状態で示されていない、つまりホルダ６はその下方位置にはなく、すなわち、ホルダ６は容器３の上端又はヘッドと連結していない。通常、ホルダ６は、容器３が下方位置にあるこの状況では、容器３と連結しているはずである。言い換えれば、通例ネブライザ１又は駆動バネ７は、容器３が下方位置にある状況では張力下に置かれているはずである。
【００８６】
ネブライザ１を完全に閉じた後で最初にネブライザ１又は駆動バネ７を引っ張る時に、好ましくは、容器は最後に又は完全に又は正確にホルダ６に連結する。しかし、下側ハウジング部分１８との（最初の）組立前又は組立中にネブライザ１が引っ張り状態にある、つまり駆動バネ７は既に張力下に置かれてホルダ６は下方位置にあるということも一般的には可能である。従って、ハウジング部品１８を完全に閉じると、ホルダ６は容器３と直接連結するべきであり、図９に示されている状況は典型的に起こるべきではない。
【００８７】
図９では、輸送ロック２９又は固定デバイス３２を開放するために、端部分３４ａを半径方向外方に移動する。これは、好ましくは、ロック要素３４を半径方向外方に曲げることによって達成される。これは、特に作動部分３４ｂに作用することによって達成される。
【００８８】
好ましくは、ネブライザ１又はそのハウジング部品１８を完全に閉じる時に、特に、内側部品１７、その下側部分１７ｂ、保持部品３９、及び／又は制御部品４０との協働又は当接により、輸送ロック２９は開放されるか又はロック要素３４が外方に曲げられる。保持部品３９は、好ましくは上側ハウジング部品１６又は内側部品１７に配置される。制御部品４０は、好ましくは下側ハウジング部品１８に配置される。
【００８９】
保持部品３９は、駆動バネの端部（下方端部）を保持する、担持する、又は支持するために、内側部品１７又はその下側部分１７ｂの下方端部又は自由端に連結している。図３から５は、保持部品３９の好ましい構造を示している。保持部品３９は好ましくは、リング状に形成される、及び／又は内側部品１７と相互接続のためにフックを有する。好ましい実施形態において、保持要素１９は、一体形部品又は保持部品３９の一部になる。しかし、他の構成上の手段が採用可能である。
【００９０】
図３から５に示す実施形態において、好ましくはリング状の制御部品４０は、輸送ロック２９を、特に輸送ロック２９の可撓性アームを開放し、容器３の軸線方向の動きを可能にする。この制御部品４０は、ネブライザ１又はそのハウジング部品１８が完全に閉じられた時に、輸送ロック２９又はその可撓性アームを開放状態に保つ。ネブライザ１を完全に閉じると、制御部品４０は、ハウジング部品１８内にある内側部品１７又は保持部品３９の当接により、軸線方向下方に押される。
【００９１】
図６から１０、特に図９に示す実施形態において、ネブライザ１、ハウジング部品１８、又は固定デバイス３２は、輸送ロック２９／固定デバイス３２又はそのロック要素３４を開放するために、好ましくはリング状の制御部品４０を有する。特に、ネブライザ１を閉じる時に制御部品４０は軸線方向下方に押されるので、制御部品４０はロック要素３４又はその作動部分３４ｂ間を動かされ、軸線方向力を半径方向外方に働かせる。好ましくは、傾斜した平面が軸線方向の又は閉じる動きを、開く又は半径方向の動きに変換し、それによって制御部品４０が軸線方向下方に押しやられる時に、ここでは保持部品３９の当接により、特に図９に示す軸線方向端部位置において、作動部分３４ｂを半径方向外方へ押しやる。
【００９２】
好ましくは、制御部品４０及び／又はロック要素３４又は作動部分３４ｂは、軸線方向の閉じる動き又は制御部品４０の動きを、特にハウジングが完全に閉じられた時に又はハウジング部品１８がネブライザ１に完全に押し込まれた時に、輸送ロック２９を解除するための、ロック要素３４又は作動部分３４ｂの、従って、端部分３４ａの望ましい半径方向に開く動きへ変換するために、それぞれ傾斜した作動面４１などを有する。
【００９３】
しかし、ネブライザ１又はそのハウジング部品１８を閉じる時に、輸送ロック２９又は固定デバイス３２又はそのロック要素３４又は端部分３４ａを開放するためには、他の構成上の手段が可能である。
【００９４】
好ましい実施形態において、制御部品４０は、これに代えて又はこれに加えて、別目的に役立つ。すなわち、制御部品４０は、ネブライザ１がそのハウジング部品１８と最初に組み立てられる前に、ロック部分３５が半径方向に遠ざかるか又は半径方向外方に曲がることをブロックする。
【００９５】
上述のように、固定デバイス３２は、好ましくは、容器３をもう一度ネブライザ１に連結するか又はネブライザ１と共に使用することができないようにする。特に固定装置３２は、使用済のハウジング部品１８又は使用済容器３が一度ネブライザ１から取り外されるとネブライザ１に再連結できないようにすることができる。従って、固定デバイス３２は、容器３及び／又は好ましくは分離できない容器３を有するハウジング部品１８のあらゆる望ましくない再使用をブロックする。
【００９６】
この実施形態において、望ましくない再使用は、少なくとも使用済の容器３及び／又はハウジング部品１８がネブライザ１から取り外された後では、ロック部分３５が押し開かれるか又は遠ざかるか又は半径方向へ及び／又は外方へ動くことによりブロックされ、その結果、使用済容器３及び／又はハウジング部品１８をもう一度ネブライザ１に連結するか又はネブライザ１を使用することができない。好ましくは、ロック部分３５は、開放後にロック部分３５が押し開かれるか又は半径方向に及び／又は外方に動くように付勢される。
【００９７】
好ましい実施形態において、容器３及び関連するハウジング部品１８が最初にネブライザ１に連結される前には、ロック部分３５は、制御部品４０により、共に保持されるか又は半径方向に及び／又は外方に遠ざかる動きに対して保持される（図７に概略的に示す）。この仮組立状態では、制御部品４０は、好ましくはロック部分３５の自由端の近くに位置し、及び／又はロック部分３５を取り囲むので、ハウジング部品１８を軸線方向にネブライザ１又はその内側部品１７、特に下側部分１７ｂの上に押圧する時に、ロック部分３５はその自由端と共に保持部品３９及び／又は駆動バネ７の内部に挿入されるように十分に互いの近くに保持される。
【００９８】
好ましくは、仮組立状態において、制御部品４０が好ましくは半径方向の係合及び／又は摩擦力により、その（上側）位置に、ロック部分３５を保持しながら又は要素３３を共に保持しながら保たれるように、制御部品４０はロック部分３５又はその突出部３５ａ（図９に示す）と協働することができる。その後の組立中、特にハウジングを完全に閉じているか又はハウジング部品１８を押圧している間は、ロック部分３５は保持部品３９及び駆動バネ７の中へ移動されるが、一方、制御部品４０は軸線方向下方に、又は固定デバイス３２、容器ベース２１、及び／又はハウジング部品１８端部の底部分に向けて移動される。そうすると、端部位置又は完全に組み立てられた位置は、図９に示す位置に達する。この状態では、制御部品４０はもはやロック部品３５を保持していないので、半径方向に付勢されたロック部分３５は、駆動バネ７により保持される。
【００９９】
好ましくは、上述のように、閉鎖運動の最後の部分又はネブライザ１を完全に閉じるちょうどその時に、制御部品４０は、輸送ロック２９又はロック要素３４を解除する。
【０１００】
図１０の概略断面図は、容器３が使用されてネブライザ１から分離された後のハウジング部品１８をその関連する容器３と共に示している。制御部品４０は、好ましくはその下方位置にあるままである。輸送ロック２９は（まだ）開いている。容器３はその上方位置に示されており、容器３をネブライザ１から、特にホルダ６及び運搬要素又は管９から取り外す時に、その位置で容器３は保持要素３３の端部分３３ａにより保持される。
【０１０１】
図１０は、ロック部分３５が特にその付勢力又は弾性力により押し開かれたところ、ここでは、特にその好ましい半径方向への付勢力又は弾性力によりその自由端が半径方向外方に移動されたところを示している。ロック部分３５のこの押し開かれた位置は、容器３及び／又はハウジング部分１８及び／又は固定デバイス３２のネブライザ１の再連結をブロックする。従って、既に使用済の容器３を再利用することはできない。従って、容器３又はネブライザ１の誤使用を防止することができる。
【０１０２】
制御部品４０は、図９及び１０に示すように、その下方位置にある時に、更に保持要素３３又はその端部分３３ａを半径方向に開かないように固定することができる。この場合に、制御部品４０は保持要素３３と好ましくは外側で接触して、いずれの外方への撓曲をブロックするか又は制限する。従って、固定デバイス３２又はその保持要素３３又は端部分３３ａは、開かないように固定されるので、容器３又はその容器縁部２１ａは、固定デバイス３２又は固定デバイス３２又は保持要素３３によって形成されるケージの内部に確実に保持される。
【０１０３】
好ましい実施形態において、図７〜１０に概略的に示すように、カウンタ機構２３を好ましくはハウジング部品１８に又はこの中に配置する。
【０１０４】
カウンタ装置２３は、ネブライザ１の作動又は操作又は放出投与を好ましくはそれぞれの容器３に対して計数する。
【０１０５】
好ましくは、カウンタ機構２３は、ハウジングの上側部品１６に対する内側部品１７の回転を検知することにより、作動又は操作を計数する。言い換えれば、カウンタ機構２３は、ネブライザ１又は駆動バネ７の引っ張りを計数することができる。しかし、他の構成上の手段が採用可能である。
【０１０６】
以下では、更に図を参照して、ネブライザ１及びハウジング部品１８の好ましい実施形態を説明かつ図示するが、主として重要な態様及び差を説明することになり、以前の態様、特徴、及び説明は、繰り返さずとも好ましくはこれに加えて又は対応して適用される。
【０１０７】
好ましい実施形態において、ネブライザ１及びハウジング部品１８は、本発明により修正された固定デバイス３２及び／又は修正された制御部品４０を有する。
【０１０８】
図１１は、修正された固定デバイス３２を斜視図で示している。図１２は、固定デバイス３２を上から見た図を示している。図１３は、図１２の線ＸＩＩＩ−ＸＩＩＩに沿う固定デバイス３２の断面図を示している。図１４は、図１３の断面と同じ方向での固定デバイス３２の側面図を示している。図１５は、図１２の線ＸＶ−ＸＶに沿う固定デバイス３２の断面図を示している。図１６は、図１５の断面と同じ方向での固定デバイス３２の側面図を示している。図１７は、分解斜視図で固定デバイス３２を示している。
【０１０９】
固定デバイス３２は、好ましくはベース３６及び保持部品３８を有する。
【０１１０】
好ましくは、保持部品３８及びベース３６は別々の部品として形成され、特に分離できないように、及び／又は容器３を挿入する前に、又は容器３を挿入しながら、又は容器３を挿入した後に結合又は連結される。
【０１１１】
言い換えれば、固定デバイス３２は、好ましくは複数の部品、特に金属部品から構成される。
【０１１２】
最も好ましくは、固定デバイス３２又は１つ又はそれよりも多くの又は全ての部品（ここでは、ベース３６及び保持部品３８）は、金属、特に鋼、最も好ましくはバネ鋼で作られている。
【０１１３】
保持部品３８は、好ましくはリング状で及び／又は本質的に平坦である。
【０１１４】
固定デバイス３２又は特に保持部品３８は、好ましくは保持要素３３を含む又は支持する。本発明では、保持要素３３は、好ましくはフィンガ状及び／又はトング状であり、及び／又は本質的に半径方向に及び／又は内方に延びている。好ましくは、保持要素３３は曲げられるか又は上方に湾曲されて、次にその自由端は下方に転回する及び／又は半径方向断面では本質的には半円を成す。従って、自由端自体は容器３に対する保持表面又は縁部を形成し、すなわち、自由端自体は、固定デバイス３２内の容器３のあらゆる上方への動きに対する境界を規定する。
【０１１５】
上述の又は以下に使用する上方、下方、上側、下側のような方向又は位置は、ネブライザ１又は容器３の通常の方向付けを指し、ネブライザ１は少なくとも本質的には垂直であり、及び／又は出口、ノズル１２、又はマウスピース１３は上方を向いており、及び／又はハウジング部品１８はネブライザ１の底部にあり、及び／又は容器３又はその動きの軸線方向は垂直であり、及び／又は流体出口２４又は容器３のヘッドは、垂直上方に向けられている。
【０１１６】
好ましくは、保持部品３８は、ベース３６に対して上側部分を成す。
【０１１７】
好ましくは、保持要素３３及び保持部品３８は、一部品又は一体形部品から、特に曲げ加工により作られる。
【０１１８】
好ましくは、保持部品３８は、固定デバイス３２を特にハウジング部品１８に取り付けるために固定部分３７を含む又は支持する。
【０１１９】
好ましくは、保持部品３８は、非作動状態又は出荷状態において制御部品４０を保持するために、及び／又は容器３及びハウジング部品１８をネブライザ１から取り外した後で既に使用済の容器３又はハウジング部品１８の再使用又は再挿入をブロックするために、１つ又はそれよりも多くのロック部分３５を含む又は支持する。
【０１２０】
本発明では、固定デバイス３２又は保持部品３８は、好ましくは、２個のロック部分３５、４個の固定部分３７、及び／又は６個の保持要素３３を含む。
【０１２１】
好ましくは、ベース３６は、ロック要素３４、穿刺要素２２を有したバネ２０、及び／又はベース３６を保持部品３８に連結するための連結部分４３を含む又は支持する。
【０１２２】
固定デバイス３２及び特にベース３６及び／又はロック要素３４は、好ましくは、先の実施形態のように、保持要素３３又は容器３のためのあらゆる他の軸線方向止め具（特に上方向における）と協働して輸送ロック２９を形成する。
【０１２３】
好ましくは、固定デバイス３２の部品、ここではベース３６及び上側部品又は保持部品３８は、特に圧着、留め金又は溶接により、解除できないように連結される。
【０１２４】
この実施形態において、上側部品又は保持部品３８及びベース３６は、好ましくは互いに軸線方向に離間させて置かれ、及び／又は本質的に異なる軸線方向に逸脱させた平面に配置される。
【０１２５】
好ましくは、ベース３６及び保持部品３８は、軸線方向に延びた連結部分４３を用いて連結される。特に、連結部分４３は、この実施形態において保持部品３８のリング状部分に載る接触面４８（図１７参照）を形成するか又は含む
【０１２６】
この実施形態において、連結部分４３又は接触面は、好ましくは把持部分４４を含み、それは、保持部品３８の外側輪郭にわたって把持するために嵌めるか又は圧着するか又は曲げることができる。しかし、他の構成上の手段が採用可能である。
【０１２７】
これに代えてかつ好ましくは、２つの部品、特にベース３６及び上側部品又は保持部品３８を溶接、リベット締め、熱かしめ、又は接着により、及び／又はネジ（図示せず）を用いて連結する。これらの目的に対して、例えば、連結部分４３の接触面４８に及び保持部品３８に示す穴を例えばネジ、ボルト、リベットなどを受け入れるために使用することができる。これに代えて又はこれに加えて、特に一時的に取り付けの間のみ、位置合わせ又は締付ボルト又は手段を受け入れるための穴を使用することができる。
【０１２８】
図１８は、ハウジング部品１８を部分的に取り付けた、すなわち、（まだ）閉じている輸送ロック２９を含み、ネブライザ１の（完全には）閉じていないハウジングを有するネブライザ１を概略断面図に示している。図１９は、図１８の取り囲み区域を部分的に拡大したものを示している。
【０１２９】
ハウジング部品１８は、閉じた輸送ロック２９をネブライザ１とは別々にして、関連する容器３と共に出荷することができるということに注意しなければならない。しかし、特に容器３がまだ流体的に開放又は結合されないように、及びハウジングがまだ完全には閉じないように、容器３及びハウジング１８を予め収納することも可能である。
【０１３０】
輸送ロック２９が閉じる時に、ロック要素３４は、初期位置で容器３を軸線方向の動きに対して、図示では下方の動きに対して及び特に穿刺要素２２により開放又は通気されないようにロックしている。
【０１３１】
この実施形態において、ロック要素３４は、容器３をその複数の自由端部分３４ａを用いて保持又は固定するのではなく、好ましくはそれぞれ１つのアーム部分３４ｃで保持又は固定する。
【０１３２】
特に、各ロック要素３４は傾けられて、それぞれの端部分３４ａが支持され又は下側領域又はベース３６に近接するベース部分３４ｄに向けて曲げられる。特に、ロック要素３４は、半径方向断面では本質的に三角形を成す。従って、非常に安定な構造を達成することができるので、特に輸送ロック２９が閉じている時には非常に大きいロック力を達成することができる。
【０１３３】
この構造の更に別の利点は、容器３が軸線方向力をロック要素３４又はそのアーム部３４ｃに加える時に、ロック要素３４が開かないということである。その結果、ロック要素３４及び従って輸送ロック２９は、制御部品４０又はあらゆる他の作動によってのみ開く。
【０１３４】
特に図１９に示すように、保持部品３８及び／又は保持要素３３は、容器３をその上側位置においてさえも、すなわち、いつでも取り囲んでいる。特に、容器３は、その半径方向に広がった下部及び／又は容器ベース２１又は容器縁部２１ａと共に保持部品３８の主平面下方に延びている。
【０１３５】
好ましくは、固定部分３７は、肩部４５下方のハウジング部品１８の内壁及び／又は把持部に向けて延び、好ましくは半径方向内方に延びて及び／又はネブライザ１又はハウジング部品１８の内側に形成される。
【０１３６】
スナップ嵌め又は嵌合により、特にハウジング部品１８内に固定デバイス３２を保持又は固定するために、固定部分３７が特にその自由端で、肩部４５を通過して、肩部４５の下方で把持又はスナップ接続できるように、好ましくは、固定デバイス３２又は保持部分３８をネブライザ１又はハウジング部品１８の中へ押し込むことができる。
【０１３７】
制御部品４０は好ましくは、輸送ロック２９を開けるために、特に関連するロック要素３４を図１８及び１９に示すロック位置から図２６及び２７に示す位置へ作動させる、移動する、又はピボット回転させるために、少なくとも１つのリブ又はアーム４２を有する。
【０１３８】
図２０は、制御部品４０の固定デバイス３２との協働を概略斜視図に示している。図２０は、容器３、制御部品４０、及び固定デバイス３２のみをネブライザ１の他の構成要素を一切含まずに、特に関連するハウジング部品１８を含まずに示している。図２０は、図１８及び１９と同じ状態、すなわち、閉じた輸送ロック２９を有する固定デバイス３２を示している。図２１は、１つのロック部分３５の、制御部品４０との協働に関して図２０の取り囲み区域Ａを部分的に拡大したものを示している。図２２は、制御部品４０のアーム４２の、１つのロック要素３４との協働に関して図２０の取り囲み区域Ｂを部分的に拡大したものを示している。
【０１３９】
輸送ロック２９が閉じている及び／又は制御部品４０がその上側位置にあり、すなわち、まだ下方に及び／又は固定デバイス３２に向けて移動されていない非作動状態では、制御部品４０は、少なくとも１つのロック部分３５により、ここでは全ロック部分３５により、特にスナップ嵌め方式で及び／又は圧力嵌めで保持される。
【０１４０】
好ましくは、２つのロック部分３５を固定デバイス３２及び／又は保持部品３８の両側に設ける。ロック部分３５は、軸線方向に及び／又は上方に延び、及び／又は好ましくは内方に付勢される。
【０１４１】
図２０及び特に図２１は、１つのロック部分３５の制御部品４０との又はそこでの好ましい係合を示している。本発明では、ロック部分３５は、ロック部分３５の自由端付近に凹部又は切欠き３５ｂを、特に２つの凹部又は切欠きを有する。
【０１４２】
制御部品４０は、好ましくはそのリング部分４０ａに突出部４０ｂ、特に２つの突出部４０ｂを含み、図示の状態で制御部品４０を保持するために、関連するロック部分３５のそれぞれの凹部又は切欠き３５ｂと係合する。好ましくは、突出部４０ｂは、制御部品４０又はリング部分４０ａの外側凹部４０ｃに形成される。好ましくは、ロック部分３５は、制御部品４０を図示の状態又は位置から下方へ移動位置まで又は固定デバイス３２に向けて移動する時に、好ましくは外側凹部４０ｃにより又はそれを通して案内される。
【０１４３】
突出部４０ｂの切欠き３５ｂへの係合は、この実施形態において制御部品４０を保持するために好ましいスナップ嵌めを形成する。
【０１４４】
ロック部分３５は、制御部品４０を好ましくは規定された回転位置で、特に外側凹部４０ｃとの半径方向の係合により、及び／又は突出部４０ｂとの協働により保持する。
【０１４５】
制御部品４０は、ロック要素３４を作動させるか又は開放するために、好ましくは複数のリブ又はアーム４２を有する。好ましくは、２つのアーム４２は、同一のロック要素３４に関連するか又はそれを作動させる。
【０１４６】
好ましくは、固定デバイス３２又は保持部品３８をアーム４２間に受け入れる。この目的のため、固定デバイス３２又は保持部品３８は、好ましくはそれぞれに凹ませた外側輪郭、特に図１１、１２、及び１７に示すような凹み４６を有する。
【０１４７】
好ましくは、アーム４２は、固定部分３７間に及び／又は固定デバイス３２又は保持部品３８のロック部分３５間に延びている。
【０１４８】
この実施形態において、固定デバイス３２は、好ましくは３個のロック要素３４を特に周囲全体を通して規則的に分散配置して含み、制御部品４０は、ロック要素３４と協働する好ましくは６個のアームを有する。
【０１４９】
アーム４２は、好ましくは軸線方向に及び／又は固定デバイス３２に向けて又はその中へ及び／又は互いに平行に延びている。
【０１５０】
図１８から２２に示す出荷状態又は初期状態では、少なくとも１つのアーム４２が、好ましくは、既に作動部分３４ｂ、保持部品３８の主平面又はリング部分、及び／又は更に固定デバイス３２に向けて又はその中へ延びている。
【０１５１】
好ましい実施形態において、アーム４２は、好ましくは傾斜した及び／又は作動する面４１を含み、ここでは特に図２２に示すようにアーム４２の半径方向外側に形成されている。
【０１５２】
好ましい実施形態において、ロック要素３４の作動部分３４ｂは、好ましくは横方向に及び／又は少なくとも本質的には周囲方向に延びるが、好ましくは以前の実施形態のように軸線方向には延びない。代わりに、好ましくは２つの作動部分３４ｂは横方向にそれぞれのロック要素３４の中央部分３４ｅから延びている。中央部分３４ｅは、好ましくはベース部分３４ｄよりも幅が狭く、それぞれのロック要素３４のベース部分３４ｄから作動部分３４ｂへ延びている。
【０１５３】
アーム部分３４ｃ及び／又はベース部分３４ｄは、好ましくは中央部分３４ｅよりも幅が広い。
【０１５４】
ロック要素３４の端部分３４ａは、好ましくは中央部分３４ｅの両側にあるベース部分３４ｄの縁部に及び中央部分３４ｅに載るので、端部分３４ａは縁部を超えて滑ることができず、押下に対して嵌合係合により支持され、アーム部分３４ｃは、輸送ロックが閉じた状態で容器３の上側軸線方向位置で容器３を受けるか又は保持するその内側端部で非常に頑丈な方法で支持される。
【０１５５】
この実施形態において、中央部分３４ｅは、更に作動部分３４ｂの上に延び、アーム部分３４ｃに向けて角度を付けるか又は曲げられる。特に、各作動部分３４ｂとアーム部分３４ｃの間には間隙が形成されるので、アーム４２の自由端がこの間隙を通して通過することができ、ロック要素３４をそのそれぞれの作動部分３４ｂで確実に作動させる。
【０１５６】
アーム４２又はアーム４２の表面４１は、好ましくは切欠き４７を含み、図２６及び２７に示すように、ロック要素３４が作動する時に及び／又は輸送ロック２９が開放される時に、その切欠き４７の中へロック要素３４又は関連する作動部分３４ｂが係合することができる。
【０１５７】
初期位置から始めると、制御部品４０は下方に、特に内側部品１７又は保持部品３９等のようなネブライザ１の構成要素によって移動され、そこでは、ロック部分３５と制御部品分４０との、特に切欠き３５ｂと突出部４０ｂとのスナップ嵌め又は圧力嵌め又は嵌合係合を解除するか又は克服するように、初期の保持力又は弾発力を克服しなければならない。
【０１５８】
図２３は、図２０と同様の図に中間位置状態を示し、そこでは、制御部品４０は既に部分的に固定デバイス３２に向けて、及び／又は輸送ロック２９が部分的に開放される及び／又はネブライザ１のハウジングはまだ完全には閉じておらず及び／又は制御部品４０はまだハウジング部品１８内部の下端位置にないという位置の方向に部分的に下方へ移動されている。
【０１５９】
中間位置状態では、アーム４２又は表面４１は既にロック要素を部分的に（外方へ）作動させ又は移動し、特にピボット回転させているので、特に容器３、容器ベース２１、又は容器縁部２１ａは、図２４の概略断面図に示すように、（既に）ロック要素３４又はアーム部分３４ｃを通過することができる。
【０１６０】
下方への移動中、ロック要素３４又は作動部分３４ｂは、図２５に示すように、アーム４２又は表面４１を超えて滑り、漸次ロック要素３４を外方へ又はロックする容器３から外方へピボット回転するか又は曲がる。
【０１６１】
図２６は、概略断面図に作動状態のネブライザ１を示し、完全に閉じたハウジングを有し、完全に閉じられた又は取り付けられたハウジング部品１８を有し、及び／又は開放された輸送ロックを有しており、ネブライザ１は既に引っ張り状態に置かれ、ホルダ６は既に下方に移動し、容器３は既に穿刺要素２２により容器ベース２１を穿刺され、又は開封されている。図２７は、図２６の取り囲み区域を部分的に拡大したものを示している。
【０１６２】
この状態では、ロック要素３４は外側又は非ロック位置に達している。この位置では、ロック要素３４又はその作動部分３４ｂは、好ましくはアーム４２のそれぞれの切欠き４７の中へ係合しているので、特に、アーム４２と、かくして制御部品４０は、この移動位置又は下端位置でスナップ嵌め又は嵌合方式で保持される。
【０１６３】
制御部品４０は移動位置又は下端位置で保持されるか又は固定されるので、輸送ロックは開いた状態に保たれる。
【０１６４】
更に、好ましいスナップ嵌めは、ハウジング部品１８が固定デバイス３２及び容器３と共にネブライザ１から取り外される場合でも、すなわち、保持部品３９又は最初に制御部品４０に接した及び／又は制御部品４０の最初の軸線方向移動を引き起こしたネブライザ１のいかなる他の構成要素が取り除かれる場合でも、固定デバイス３２又は輸送ロック２９に対する制御部品４０の規定された軸線方向位置決め又は固定化をもたらす。
【０１６５】
従って、制御部品４０は好ましくは、スナップ嵌め方式で、輸送ロック２９の閉じた非移動状態に及び／又は輸送ロック２９の解除された軸線方向移動状態に保持される。
【０１６６】
図２８は、ハウジング部品１８を再度ネブライザ１に取り付けた場合を概略断面図に示しており、ハウジング部品１８及び容器３は既に使用済である。この場合に、ロック部分３５は半径方向に、特に内方へ移動している。これに関連して、ロック部分３５は、以前の実施形態での外方ではなく、この実施形態では好ましくは内方へ付勢されていることに注意しなければならない。それにもかかわらず、ロック部分３５は、好ましくは内側部品１７又は保持部品３９に当接することにより、既に使用済のハウジング部品の（正確な又は完全な）再連結、特にネブライザ１のハウジングが完全に閉じることをブロックする。
【０１６７】
好ましくは、ロック部分３５は、ロック部分３５が半径方向内方に保持部品３８との連結部からロック要素３４の自由端に向けて突出しやすいように、段部を有する。これは、半径方向内方への動きと、既に使用済ハウジング部品１８のネブライザ１への再連結に抗するロックとを促進する。更に、上述の段部（好ましくは各ロック部分３５につき、好ましくは１つよりも多い半径方向段部）は、好ましくは軸線方向に関して傾斜しており、制御部品４０が下方に動く時にはロック部品３５が制御部品４０上を滑るか又は逆も同様であるので、制御部品４０のその最初の位置又は上側位置からその移動位置又は下側位置への移動をも促進する。
【０１６８】
内方に付勢された及び／又はロック部分３５を含むこの実施形態は、ロック部分３５が外方に付勢されて及び／又はネブライザ１に再連結しないようにハウジング部品１８をロックするために外方に動く以前の実施形態とは異なっているということに注意されたい。
【０１６９】
この実施形態において、ロック部分３５は、ネブライザ１が完全に閉じられる時には、好ましくは内側部品１７の外側に延びている。これは、容器３及びホルダ６の軸線方向運動中の駆動バネ７とのいずれの望ましくない相互作用も回避する。
【０１７０】
上述のように、説明した実施形態の個々の特徴、態様、及び／又は原理は、必要に応じて互いに組み合わせることも可能であり、特に図１及び図１０に従うネブライザ１に使用することができるが、類似の又は異なるネブライザに使用することもできる。
【０１７１】
自立式機器などとは違って、提案するネブライザ１は、好ましくは携帯用に設計され、特に携帯型手動式機構である。
【０１７２】
しかし、提案するソリューションは、本明細書に詳述したネブライザ１だけでなく、他のネブライザ又は吸入器、例えば、粉末吸入器又はいわゆる計量式吸入器にも使用することができる。
【０１７３】
好ましくは、流体２は上述のように液体であり、特に水溶性医薬組成物製剤又はエタノール性医薬組成物製剤である。しかし、流体２は、何らかの他の医薬組成物製剤又は懸濁液などとすることができる。
【０１７４】
代替の実施形態によれば、流体２は粒子又は粉末から構成される場合もある。この場合に、排出ノズル１２の代わりに、何らかの他種の供給デバイス、特に、流体又は粉末などをマウスピース１３へ供給するための排出開口部（図示せず）又は供給チャネル（図示せず）を提供することができる。任意的な空気供給開口部１５はその時に、マウスピースを通した吸息又は吸入のために十分な量の空気流を生成するか又は可能にするように、周囲の空気を好ましくは並行して供給するために役立つ。
【０１７５】
必要であれば、流体２は、噴射ガスを用いて霧状にすることもできる。
【０１７６】
好ましい医療流体２のための好ましい成分及び／又は製剤は、特にＷＯ  ２００９／１１５２００  Ａ１の好ましくは２５頁から４０頁に、又はＥＰ  ２  ６１４  ８４８  Ａ１の段落００４０から段落００８７に列挙されており、これらは引用により本明細書に組み込まれている。特に、これらは、水溶液又は非水溶液、混合物、又はエタノール含有又は溶媒を含まない製剤などである場合がある。
【符号の説明】
【０１７７】
１  ネブライザ
２  流体
３  容器
４  袋
５  圧力発生器
６  ホルダ
７  駆動バネ
８  ブロッキング要素
９  運搬管
１０  逆止弁
１１  圧力室
１２  ノズル
１３  マウスピース
１４  エアロゾル
１５  空気供給開口部
１６  上側ハウジング部品
１７  内側部品
１７ａ  内側部品の上側部分
１７ｂ  内側部品の下側部分
１８  ハウジング部品（下側部品）
１９  保持要素
２０  バネ
２１  容器ベース
２１ａ  容器縁部
２２  穿刺要素
２３  カウンタ機構
２４  流体出口
２５  第１のクロージャ
２６  第２のクロージャ
２７  クロージャ部品
２８  フランジ
２９  輸送ロック
３０  固定部材
３１  通気孔
３２  固定デバイス
３３  保持要素
３３ａ  端部分
３４  ロック要素
３４ａ  端部分
３４ｂ  作動部分
３４ｃ  アーム部分
３４ｄ  ベース部分
３４ｅ  中央部分
３５  ロック部分
３５ａ  突出部
３５ｂ  切欠き
３６  ベース
３７  固定部分
３８  保持部品
３９  保持部品
４０  制御部品
４０ａ  リング部分
４０ｂ  突出部
４０ｃ  外側凹部
４１  作動面
４２  アーム
４３  連結部分
４４  把持部分
４５  肩部
４６  凹み
４７  切欠き
４８  接触面
Ａ  取り囲み区域
Ｂ  取り囲み区域
【図１】
2016525437.tif 000003
【図２】
2016525437.tif 000004
【図３】
2016525437.tif 000005
【図４】
2016525437.tif 000006
【図５】
2016525437.tif 000007
【図６】
2016525437.tif 000008
【図７】
2016525437.tif 000009
【図８】
2016525437.tif 000010
【図９】
2016525437.tif 000011
【図１０】
2016525437.tif 000012
【図１１】
2016525437.tif 000013
【図１２】
2016525437.tif 000014
【図１３】
2016525437.tif 000015
【図１４】
2016525437.tif 000016
【図１５】
2016525437.tif 000017
【図１６】
2016525437.tif 000018
【図１７】
2016525437.tif 000019
【図１８】
2016525437.tif 000020
【図１９】
2016525437.tif 000021
【図２０】
2016525437.tif 000022
【図２１】
2016525437.tif 000023
【図２２】
2016525437.tif 000024
【図２３】
2016525437.tif 000025
【図２４】
2016525437.tif 000026
【図２５】
2016525437.tif 000027
【図２６】
2016525437.tif 000028
【図２７】
2016525437.tif 000029
【図２８】
2016525437.tif 000030
【国際調査報告】
2016525437.tif 000031
2016525437.tif 000032
2016525437.tif 000033